(57)【要約】【課題】利用者の意に反して画面が低電力状態になることを回避できる。【解決手段】第１検出部１０２は、表示部１０１の近傍に設けられ、物体の近接を検出可能である。第２検出部１０３は、第１検出部１０２の近傍の照度を検出可能である。制御部１０４は、通話状態時に、第１検出部１０２および第２検出部１０３による各検出結果に基づいて、照度が所定照度より高い場合、または近接が検出されていない場合に表示部１０１を第１状態にする。制御部１０４は、照度が所定照度以下であり、かつ近接が検出された場合に表示部１０１を第１状態より消費電力が低い第２状態にする。【選択図】図１
2016036119.tif 000002
【特許請求の範囲】
【請求項１】
表示部と、
前記表示部の近傍に設けられ、物体の近接を検出可能な第１検出部と、
前記第１検出部の近傍の照度を検出可能な第２検出部と、
前記第１検出部および前記第２検出部による各検出結果に基づいて、前記照度が所定照度より高い場合、または前記近接が検出されていない場合に前記表示部を第１状態にし、前記照度が前記所定照度以下であり、かつ前記近接が検出された場合に前記表示部を前記第１状態より消費電力が低い第２状態にする制御部と、
を有することを特徴とする携帯端末装置。
【請求項２】
前記第２検出部と異なる位置に設けられ、前記位置の照度を検出可能な第３検出部を有し、
前記所定照度は、前記第３検出部によって検出された照度に基づく照度であることを特徴とする請求項１に記載の携帯端末装置。
【請求項３】
前記制御部は、
前記第３検出部によって検出された照度が第２所定照度より低い場合に、前記第１検出部による検出結果に基づいて、前記近接が検出されていない場合に前記表示部を前記第１状態にし、前記近接が検出された場合に前記表示部を前記第２状態にすることを特徴とする請求項２に記載の携帯端末装置。
【請求項４】
自装置の傾きを検出可能な第４検出部を有し、
前記所定照度は、前記第４検出部によって検出された前記傾きに基づく照度であることを特徴とする請求項１〜３のいずれか一つに記載の携帯端末装置。
【請求項５】
前記表示部と、前記表示部への接触による入力を受け付ける受け付け部と、を有するタッチパネルディスプレイを有し、
前記制御部は、
前記表示部を前記第１状態にする場合に、前記受け付け部を前記入力の受け付けを行う状態にし、前記表示部を前記第２状態にする場合に、前記受け付け部を前記入力の受け付けを行わない状態にすることを特徴とする請求項１〜４のいずれか一つに記載の携帯端末装置。
【請求項６】
表示部と、
前記表示部の近傍に設けられ、物体の近接を検出可能な第１検出部と、
前記第１検出部の近傍の照度を検出可能な第２検出部と、
制御部と、を有する携帯端末装置の表示制御プログラムであって、
前記制御部に、
前記第１検出部および前記第２検出部による各検出結果に基づいて、前記照度が所定照度より高い場合、または前記近接が検出されていない場合に前記表示部を第１状態にし、前記照度が前記所定照度以下であり、かつ前記近接が検出された場合に前記表示部を前記第１状態より消費電力が低い第２状態にする、
処理を実行させることを特徴とする表示制御プログラム。
【請求項７】
表示部と、
前記表示部の近傍に設けられ、物体の近接を検出可能な第１検出部と、
前記第１検出部の近傍の照度を検出可能な第２検出部と、
制御部と、を有する携帯端末装置の表示制御方法であって、
前記制御部が、
前記第１検出部および前記第２検出部による各検出結果に基づいて、前記照度が所定照度より高い場合、または前記近接が検出されていない場合に前記表示部を第１状態にし、前記照度が前記所定照度以下であり、かつ前記近接が検出された場合に前記表示部を前記第１状態より消費電力が低い第２状態にする、
処理を実行することを特徴とする表示制御方法。
【発明の詳細な説明】
【技術分野】
【０００１】
本発明は、携帯端末装置、表示制御プログラム、および表示制御方法に関する。
【背景技術】
【０００２】
従来、タッチパネルディスプレイを有する携帯端末装置において、通話状態時に、近接センサによって物体の近接が検出された場合に、消費電力を抑えるために画面を消灯し、かつ誤操作防止のためにタッチ入力を無効にする技術が公知である（例えば、以下特許文献１，２参照）。
【０００３】
また、従来、折りたたみ構造の携帯端末装置において、筐体のリア側に設けた照度センサが検出した照度に比例した電圧値と閾値との比較結果に応じて筐体のリア側に設けたＬＣＤの表示のオンオフを制御する技術が公知である（例えば、以下特許文献３参照）。また、従来、カメラによって照度を検出し、検出された照度のレベルを決定する技術が公知である（例えば、以下特許文献４参照）。また、従来、近接センサの感度を加速度センサの大きさに応じて制御する技術が公知である（例えば、以下特許文献５参照）。
【先行技術文献】
【特許文献】
【０００４】
【特許文献１】特開２０１３−１２５１９６号公報
【特許文献２】特開２０１３−１４９２０７号公報
【特許文献３】特開２００４−１４０４７２号公報
【特許文献４】特開２００４−３１２７４２号公報
【特許文献５】特開２０１１−６１３１６号公報
【発明の概要】
【発明が解決しようとする課題】
【０００５】
しかしながら、従来の携帯端末装置において、例えば、通話状態時に利用者が画面を見ている場合に利用者の指が近接センサに近づくと近接センサが指の近接を検出し、利用者の意に反して、画面が消灯するなどの低電力状態になる場合がある。
【０００６】
１つの側面では、本発明は、利用者の意に反して画面が低電力状態になることを回避することができる携帯端末装置、表示制御プログラム、および表示制御方法を提供することを目的とする。
【課題を解決するための手段】
【０００７】
本発明の一側面によれば、表示部と、前記表示部の近傍に設けられ、物体の近接を検出可能な第１検出部と、前記第１検出部の近傍の照度を検出可能な第２検出部と、前記第１検出部および前記第２検出部による各検出結果に基づいて、前記照度が所定照度より高い場合、または前記近接が検出されていない場合に前記表示部を第１状態にし、前記照度が前記所定照度以下であり、かつ前記近接が検出された場合に前記表示部を前記第１状態より消費電力が低い第２状態にする制御部と、を有する携帯端末装置、表示制御プログラム、および表示制御方法が提案される。
【発明の効果】
【０００８】
本発明の一態様によれば、利用者の意に反して画面が低電力状態になることを回避することができる。
【図面の簡単な説明】
【０００９】
【図１】図１は、本発明にかかる携帯端末装置の一例を示す説明図である。
【図２】図２は、近接センサによる反応例を示す説明図である。
【図３】図３は、携帯端末装置の実装姿例を示す説明図である。
【図４】図４は、携帯端末装置のハードウェア構成例を示すブロック図である。
【図５】図５は、携帯端末装置の機能的構成例を示すブロック図である。
【図６】図６は、実施例１にかかる携帯端末装置が行う処理手順例を示すフローチャートである。
【図７】図７は、傾きに基づく照度差の閾値の決定例を示す説明図である。
【図８】図８は、実施例２にかかる携帯端末装置が行う処理手順例を示すフローチャートである。
【発明を実施するための形態】
【００１０】
以下に添付図面を参照して、本発明にかかる携帯端末装置、表示制御プログラム、および表示制御方法の実施の形態を詳細に説明する。
【００１１】
図１は、本発明にかかる携帯端末装置の一例を示す説明図である。携帯端末装置１００は、例えば、スマートフォンなどが挙げられる。
【００１２】
従来、例えば、利用者は、通話中などに耳元で携帯端末装置を利用する場合、ディスプレイに表示された画面を見ない。また、例えば、携帯端末装置１００はタッチパネルディスプレイを有すると、利用者が通話中などに耳元で携帯端末装置を利用する場合、頬などがタッチパネルディスプレイに触れることによってタッチパネルディスプレイが誤反応する可能性がある。そこで、従来、例えば、携帯端末装置は、タッチパネルディスプレイの上部などに設けられた近接センサによって物体の近接が検出された場合に画面を消灯するなどの低電力状態にする。これにより、低消費電力化を図ることができる。また、例えば、携帯端末装置は、近接センサによって物体の近接が検出された場合にタッチ入力を無効にする。これにより、誤操作を抑制することができる。
【００１３】
しかしながら、通話状態の時に利用者が画面を見ている場合に利用者の指が近接センサに近づくと近接センサが指の近接を検出し、利用者の意に反して、画面が消灯するなどの低電力状態になる場合がある。例えば、通話状態の時に利用者が画面を見ている場合とは、テレビ電話を利用時や通話接続中にメールや画像を閲覧するなどの場合が挙げられる。また、携帯端末装置がタッチパネルディスプレイを有する場合、利用者がタッチパネルディスプレイを操作する場合などに利用者の指が近接センサに近づく場合がある。この場合の一例について図２にて詳細に説明する。これにより、利用者の意に反して画面が低電力状態になる。また、携帯端末装置がタッチパネルディスプレイを有する場合、利用者の意に反してタッチ入力が無効となる場合がある。
【００１４】
そこで、本実施の形態では、通話状態時に画面近傍で物体の近接を検出すると画面を低電力状態にする機能を持つ携帯端末装置において、照度センサにより検出された該近傍の照度が高い場合に該機能を無効にする。これにより、利用者の意に反して画面が消灯などの低電力状態になることを回避する。また、本実施の形態では、通話状態時に画面近傍で物体の近接を検出するとタッチ入力を無効にする機能を持つ携帯端末装置において、照度センサにより検出された該近傍の照度が高い場合に該機能を無効にする。これにより、利用者の意に反して画面によるタッチ入力が無効になることを回避する。
【００１５】
例えば、携帯端末装置１００は、表示部１０１と、第１検出部１０２と、第２検出部１０３と、制御部１０４と、を有する。
【００１６】
第１検出部１０２は、表示部１０１の近傍に設けられ、第１検出部１０２への物体の近接を検出可能である。例えば物体は人を含む。第１検出部１０２は、例えば、近接センサや人感センサである。第２検出部１０３は、第１検出部１０２の近傍の照度を検出可能な第２検出部１０３である。第２検出部１０３は、照度センサやカメラなどである。
【００１７】
制御部１０４は、第１検出部１０２および第２検出部１０３による検出結果に基づいて、照度が所定照度より高い場合、または近接が検出されていない場合に表示部１０１を第１状態にする。第１状態は、例えば、表示部１０１が点灯した状態である。所定照度は、例えば、制御部１０４がアクセス可能な記憶部に記憶されてあり、例えば、利用者や携帯端末装置１００の設計者などによって予め定められる。例えば、図１（１）に示すように、指が第１検出部１０２に近接した場合であっても、指は面積が小さいため、第１検出部１０２の近傍は暗くならない。そのため、図１（１）に示すように、制御部１０４は、照度が所定照度より高いと判断し、表示部１０１を第１状態にする。
【００１８】
また、制御部１０４は、第１検出部１０２および第２検出部１０３による検出結果に基づいて、照度が所定照度以下であり、かつ近接が検出された場合に表示部１０１を第１状態よりも表示部１０１の消費電力が低い第２状態にする。第２状態は、例えば、表示部１０１が消灯した状態や表示部１０１が第１状態よりも暗い状態である。図１（２）に示すように、人の頭が第１検出部１０２に近接した場合、人の頭は面積が大きいため、第１検出部１０２の近傍は指などと比較して暗くなる。そのため、図１（２）に示すように、制御部１０４は、照度が所定照度以下であり、近接が検出されたため、表示部１０１を第２状態にする。
【００１９】
これにより、利用者の意図しない場合に画面が消灯するなどの低消費電力状態となることを回避することができる。また、利用者の意図しない場合にタッチ入力が無効になることを回避することができる。
【００２０】
図２は、近接センサによる反応例を示す説明図である。例えば、携帯端末装置１００が、利用者による通話状態の時にメールを受信する。利用者が、通話しながら受信したメールを閲覧しようと画面上の通知アイコンを操作しようとした際に、近接センサは利用者の指に反応するため、携帯端末装置１００は、タッチパネルディスプレイを消灯し、タッチ入力を無効にする。このように、従来、利用者が意図しないタイミングで、画面の消灯やタッチ入力の無効化が生じる場合がある。
【００２１】
図３は、携帯端末装置の実装姿例を示す説明図である。携帯端末装置１００は、例えば、タッチパネルディスプレイ３０５の上側にスピーカ３０１と近接センサ３０４と筐体の表面に照度センサ３０２と筐体の裏面に照度センサ３０３とを設ける。また、表面の照度センサ３０２は、近接センサ３０４の近傍に設けられる。
【００２２】
（携帯端末装置１００のハードウェア構成例）
図４は、携帯端末装置のハードウェア構成例を示すブロック図である。図４において、携帯端末装置１００は、ＣＰＵ（Ｃｅｎｔｒａｌ  Ｐｒｏｃｅｓｓｉｎｇ  Ｕｎｉｔ）４０１と、ＲＯＭ（Ｒｅａｄ  Ｏｎｌｙ  Ｍｅｍｏｒｙ）４０２と、ＲＡＭ（Ｒａｎｄｏｍ  Ａｃｃｅｓｓ  Ｍｅｍｏｒｙ）４０３と、記憶部４０４と、を有する。携帯端末装置１００は、通信Ｉ／Ｆ（ＩｎｔｅｒＦａｃｅ）４０５と、各種スイッチ４０６と、スピーカ３０１と、入力Ｉ／Ｆ４０７と、出力Ｉ／Ｆ４０８と、タッチパネルディスプレイ３０５と、カメラ４０９と、近接センサ３０４と、照度センサ３０２と、照度センサ３０３と、加速度センサ４１０と、マイク４１１と、を有する。また、タッチパネルディスプレイ３０５以外の各部はバスによってそれぞれ接続されている。
【００２３】
ここで、ＣＰＵ４０１は、携帯端末装置１００の全体の制御を司る。ＲＯＭ４０２は、ブートプログラムなどのプログラムを記憶している。ＲＡＭ４０３は、ＣＰＵ４０１のワークエリアとして使用される。記憶部４０４は、ディスクドライブとディスクとを有し、ディスクドライブはＣＰＵ４０１の制御にしたがってディスクに対するデータのリード／ライトを制御し、ディスクはディスクドライブの制御で書き込まれたデータを記憶する。ディスクとしては、磁気ディスク、光ディスクなどが挙げられる。
【００２４】
通信Ｉ／Ｆ４０５は、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどのネットワーク４１２に接続され、このネットワーク４１２を介して他の装置に接続される。そして、通信Ｉ／Ｆ４０５は、ネットワーク４１２と内部のインターフェースを司り、外部装置からのデータの入出力を制御する。通信Ｉ／Ｆ４０５には、例えばモデムやＬＡＮアダプタなどを採用することができる。各種スイッチ４０６は、例えば、電源や各種モードを切り替え可能なスイッチである。
【００２５】
入力Ｉ／Ｆ４０７は、各部とタッチパネルディスプレイ３０５とを接続する。入力Ｉ／Ｆ４０７は、タッチパネルディスプレイ３０５からの入力を受け付けるインターフェースである。出力Ｉ／Ｆ４０８は、各部とタッチパネルディスプレイ３０５とを接続する。出力Ｉ／Ｆ４０８は、ＣＰＵ４０１からの指示により、データをタッチパネルディスプレイ３０５に出力するインターフェースである。タッチパネルディスプレイ３０５は、利用者の操作による入力を受け付ける。また、タッチパネルディスプレイ３０５は、ＣＰＵ４０１の指示による携帯端末装置１００内のデータの出力を行う。
【００２６】
カメラ４０９は、画像や動画を撮影可能であり、照度を検出可能な検出部である。近接センサ３０４は、物体の接近を検出可能な検出部である。照度センサ３０２は、近接センサ３０４の近傍に設けられ、近接センサ３０４の近傍の照度を検出可能な検出部であり、携帯端末装置１００の筐体の表面に設けられる。照度センサ３０３は、照度を検出可能な検出部であり、携帯端末装置１００の筐体の裏面に設けられる。加速度センサ４１０は、携帯端末装置の傾きを検出可能な検出部である。
【００２７】
マイク４１１は、音を電気信号に変換する機能を有する。スピーカ３０１は、電気信号を物理振動に変えて、音楽や音声などの音を生み出す機能を有する。ＣＰＵ４０１は、マイク４１１とスピーカ３０１とを利用して通話を行う。
【００２８】
（携帯端末装置１００の機能的構成例）
図５は、携帯端末装置の機能的構成例を示すブロック図である。携帯端末装置１００は、第１検出部１０２と、第２検出部１０３と、第３検出部５０１と、第４検出部５０２と、制御部１０４と、タッチパネルディスプレイ３０５と、を有する。
【００２９】
第１検出部１０２は、表示部１０１の近傍に設けられ、第１検出部１０２への物体の近接を検出可能である。第１検出部１０２は、例えば、近接センサ３０４によって実現される。
【００３０】
第２検出部１０３は、第１検出部１０２の近傍の照度を検出可能である。第２検出部１０３は、照度センサ３０２によって実現される。また、第２検出部１０３は、図示していないが、カメラ４０９であってもよい。
【００３１】
第３検出部５０１は、第２検出部１０３と異なる位置に設けられ、該位置の照度を検出可能である。第３検出部５０１は、例えば、照度センサ３０３によって実現される。また、第３検出部５０１は、例えば、カメラ４０９であってもよい。第２検出部１０３と異なる位置とは、例えば、携帯端末装置１００の側面内の位置やタッチパネルディスプレイ３０５と反対の面内の位置である。例えば、第２検出部１０３と第３検出部５０１とは、タッチパネルディスプレイ３０５と該反対の面との異なる面内の同一位置であってもよい。
【００３２】
第４検出部５０２は、自装置の傾きを検出可能である。例えば、第４検出部５０２は、加速度センサ４１０によって実現される。
【００３３】
タッチパネルディスプレイ３０５は、例えば、データを表示する機能を含む表示部１０１を有する。また、タッチパネルディスプレイ３０５は、上述したように、接触による入力を受け付ける機能を含む受け付け部５０３を有する。
【００３４】
制御部１０４の処理は、例えば、ＣＰＵ４０１がアクセス可能なＲＯＭ４０２、ＲＡＭ４０３、記憶部４０４などの記憶装置に記憶されたプログラムにコーディングされている。そして、ＣＰＵ４０１が記憶装置から該プログラムを読み出して、プログラムにコーディングされている処理を実行する。これにより、制御部１０４の処理が実現される。また、制御部１０４の処理結果は、例えば、ＲＡＭ４０３、ＲＯＭ４０２、記憶部４０４などの記憶装置に記憶される。
【００３５】
本実施の形態では、各部の処理について、実施例１と実施例２とに分けて説明する。実施例１では、第１検出部１０２および第２検出部１０３の各検出結果に基づいて、タッチパネルディスプレイ３０５の状態を制御する。実施例２では、第１検出部１０２から第４検出部５０２の各検出結果に基づいて、タッチパネルディスプレイ３０５の状態を制御する。
【００３６】
（実施例１）
実施例１は、携帯端末装置１００が通話状態の時に、画面の近くの近接センサ３０４により物体の接近が検出され、照度センサ３０２により近接センサ３０４の近傍が暗いと判断した場合にだけ、画面を消灯し、タッチパネルを無効にする。これにより、利用者の意に反して画面が消灯するのを回避し、利用者の意に反してタッチパネルが無効になるのを回避することができる。
【００３７】
制御部１０４は、携帯端末装置１００において通話機能を実行中に、第１検出部１０２および第２検出部１０３による検出結果に基づいて、照度が所定照度より高い場合、または近接が検出されていない場合に表示部１０１を第１状態にする。上述したように、所定照度は、例えば、制御部１０４がアクセス可能な記憶部４０４に記憶されてあり、例えば、利用者や携帯端末装置１００の設計者などによって予め定められる。第１状態は、例えば、タッチパネルディスプレイ３０５が点灯した状態である。また、制御部１０４は、表示部１０１を第１状態にする場合に、受け付け部５０３を入力の受け付けを行う状態にする。例えば、指が第１検出部１０２に近接した場合であっても、指は面積が小さいため、第１検出部１０２の近傍は暗くならない。そのため、制御部１０４は、照度が所定照度より高いと判断した場合には、タッチパネルディスプレイ３０５を点灯し、タッチ入力の受け付けを有効にする。
【００３８】
また、制御部１０４は、第１検出部１０２および第２検出部１０３による検出結果に基づいて、照度が所定照度以下であり、かつ近接が検出された場合に表示部１０１を第１状態より消費電力が低い第２状態にする。第２状態は、例えば、表示部１０１が消灯した状態や表示部１０１が第１状態よりも暗い状態である。また、制御部１０４は、表示部１０１を第２状態にする場合、受け付け部５０３を入力の受け付けを行わない状態にする。例えば、人の頭が第１検出部１０２に近接した場合、人の頭は面積が大きいため、第１検出部１０２の近傍は指などと比較して暗くなる。そのため、例えば、制御部１０４は、照度が所定照度以下であり、近接が検出されたため、タッチパネルディスプレイ３０５を消灯し、タッチ入力の受け付け機能を無効にする。
【００３９】
これにより、利用者の意図しない場合に画面が消灯することを回避することができ、利用者の意図しない場合にタッチパネルが無効になるのを回避することができる。したがって、利用者の利便性の向上を図ることができる。
【００４０】
（実施例１にかかる携帯端末装置１００が行う処理手順）
図６は、実施例１にかかる携帯端末装置が行う処理手順例を示すフローチャートである。具体的には、図６に示す処理手順は、例えばＣＰＵ４０１が行う。携帯端末装置１００は、通話状態となると、照度センサ３０２の読み値が閾値より小さいか否かを判断する（ステップＳ６０１）。照度センサ３０２の読み値とは、例えば、照度センサ３０２によって検出された照度である。閾値は、上述した所定照度である。ここでは、照度センサ３０２の読み値が大きいほど明るく、照度センサ３０２の読み値が小さいほど暗い。そのため、ステップＳ６０１では、閾値によって暗いか否かが判断される。
【００４１】
小さくないと判断された場合（ステップＳ６０１：Ｎｏ）、携帯端末装置１００は、ステップＳ６０４へ移行する。小さいと判断された場合（ステップＳ６０１：Ｙｅｓ）、携帯端末装置１００は、近接センサ３０４により物体の近接を検出したか否かを判断する（ステップＳ６０２）。近接を検出していないと判断された場合（ステップＳ６０２：Ｎｏ）、携帯端末装置１００は、画面を点灯し、タッチパネルを有効にし（ステップＳ６０４）、ステップＳ６０５へ移行する。一方、近接を検出したと判断された場合（ステップＳ６０２：Ｙｅｓ）、携帯端末装置１００は、画面を消灯し、タッチパネルを無効にする（ステップＳ６０３）。
【００４２】
つぎに、携帯端末装置１００は、通話終了したか否かを判断する（ステップＳ６０５）。通話が終了していないと判断された場合（ステップＳ６０５：Ｎｏ）、携帯端末装置１００は、ステップＳ６０１へ戻る。通話が終了したと判断された場合（ステップＳ６０５：Ｙｅｓ）、携帯端末装置１００は、画面を点灯し、タッチパネルを有効にし（ステップＳ６０６）、一連の処理を終了する。
【００４３】
（実施例２）
例えば、携帯端末装置１００の周辺が暗い場合には、指や体の接近に関係なく近接センサ３０４の近傍が暗いと判断されてしまう。そこで、実施例２では、表面に設けられた照度センサ３０２によって検出された照度と、裏面に設けられた照度センサ３０３によって検出された照度との比較によって近接センサ３０４の近傍が明るいか否かを判断する。これにより、近接センサ３０４の近傍が相対的に暗いか否かを判定することが可能となり、判定の精度の向上を図ることができる。
【００４４】
制御部１０４は、実施例１で説明したように表示部１０１と受け付け部５０３との状態を制御する。例えば、制御部１０４は、携帯端末装置１００において通話処理を実行中に、第１検出部１０２および第２検出部１０３による各検出結果に基づいて、照度が所定照度より高い場合、または近接が検出されていない場合に表示部１０１を第１状態にする。また、制御部１０４は、表示部１０１を第１状態にする場合に、受け付け部５０３を入力の受け付けを行う状態にする。制御部１０４は、第１検出部１０２および第２検出部１０３による検出結果に基づいて、照度が所定照度以下であり、かつ近接が検出された場合に表示部１０１を第１状態より消費電力が低い第２状態にする。また、制御部１０４は、表示部１０１を第２状態にする場合に、受け付け部５０３を入力の受け付けを行わない状態にする。
【００４５】
所定照度は、例えば、第３検出部５０１によって検出された照度に基づく照度である。例えば、所定照度は、第３検出部５０１によって検出された照度そのものであってもよいし、第３検出部５０１によって検出された照度にマージンを取った照度であってもよい。具体的に、例えば、制御部１０４は、第２検出部１０３によって検出された照度が第３検出部５０１によって検出された照度以下であるか否かを判断する。これにより、制御部１０４は、近接センサ３０４の近傍が相対的に暗いか否かを判定することができる。
【００４６】
また、制御部１０４は、第３検出部５０１によって検出された照度が第２所定照度より低い場合に、第１検出部１０２による検出結果に基づいて、近接が検出されていない場合に表示部１０１を第１状態にし、受け付け部５０３を入力の受け付けを行う状態にする。また、制御部１０４は、第３検出部５０１によって検出された照度が第２所定照度よりも低い場合に、第１検出部１０２による検出結果に基づいて、近接が検出された場合に表示部１０１を第２状態にし、受け付け部５０３を入力の受け付けを行わない状態にする。第２所定照度は、かなり暗いと判断可能な照度にし、ＲＯＭ４０２、ＲＡＭ４０３、記憶部４０４などの記憶装置に記憶される。このように、裏面が暗すぎる場合、自携帯端末装置１００が暗すぎる場所にある可能性がある。暗すぎる場所であると、第２検出部１０３によって検出された照度と第３検出部５０１によって検出された照度とに差がないため、制御部１０４は、比較を行わずに、第１検出部１０２による検出結果によってタッチパネルディスプレイ３０５の状態を変更する。これにより、かなり暗い場所であっても、タッチパネルディスプレイ３０５の消灯および無効を行うことができる。
【００４７】
また、例えば、所定照度は、例えば、第４検出部５０２によって検出された傾きに基づく照度であってもよい。自装置の傾きは換言するとタッチパネルディスプレイ３０５の傾きである。光源は、例えば、利用者の頭上にある可能性が高い。そのため、タッチパネルディスプレイ３０５の傾きによって近接センサ３０４の近傍が元々どの程度明るいかを考慮して近接センサ３０４の近傍が暗いか否かを判定することが可能となる。
【００４８】
また、例えば、所定照度は、第３検出部５０１によって検出された照度と第４検出部５０２によって検出された傾きとに基づく照度である。具体的に、例えば、制御部１０４は、第２検出部１０３によって検出された照度が第３検出部５０１によって検出された照度よりも閾値以上低いか否かを判断する。本実施の形態では、例えば、制御部１０４が、閾値を第４検出部５０２によって検出された傾きによって決定する。これにより、所定照度が第３検出部５０１によって検出された照度と第４検出部５０２によって検出された傾きとに基づく照度となる。
【００４９】
図７は、傾きに基づく照度差の閾値の決定例を示す説明図である。例えば、加速度センサによってタッチパネルディスプレイ３０５の面の向く角度θが検出可能である。角度θは、タッチパネルディスプレイ３０５の面の法線の鉛直からのずれ角度である。
【００５０】
例えば、角度θが０°に近いほど、表面が上向きである。そのため、裏面は表面よりも近接に関係なく暗いため、閾値はより小さい値となる。また、例えば、角度θが１８０°に近いほど、表面が下向きである。そのため、裏面は表面よりも近接に関係なく明るいため、閾値はより大きい値となる。
【００５１】
例えば、制御部１０４は、角度θを与えると閾値が得られる関数に、加速度センサによって得られた角度θを与えて閾値を得ることとする。
【００５２】
また、制御部１０４は、第２検出部１０３によって検出された照度が第３検出部５０１によって検出された照度よりも閾値以上低くない場合、近接センサ３０４の近傍が明るいと判断する。そこで、制御部１０４は、第２検出部１０３によって検出された照度が第３検出部５０１によって検出された照度より閾値以上低くない場合、または近接が検出されていない場合に表示部１０１を第１状態にし、受け付け部５０３を入力の受け付けを行う状態にする。
【００５３】
また、制御部１０４は、第２検出部１０３によって検出された照度が第３検出部５０１によって検出された照度よりも閾値以上低い場合、近接センサ３０４の近傍が暗いと判断する。そこで、制御部１０４は、第２検出部１０３によって検出された照度が第３検出部５０１によって検出された照度よりも閾値以上低く、かつ近接が検出された場合に表示部１０１を第２状態にし、受け付け部５０３を入力の受け付けを行わない状態にする。
【００５４】
これにより、携帯端末装置１００の周辺の環境を考慮して近接センサ３０４の近傍が暗いか否かが判別可能となる。したがって、利用者の意に反した消灯を回避することができ、利用者の意に反したタッチ入力の無効を回避することができる。
【００５５】
（実施例２にかかる携帯端末装置１００が行う処理手順）
図８は、実施例２にかかる携帯端末装置が行う処理手順例を示すフローチャートである。携帯端末装置１００は、通話状態となると、裏面の照度センサ３０３の読み値が第１閾値以上であるか否かを判断する（ステップＳ８０１）。第１閾値は上述した第２所定照度である。第１閾値以上でないと判断された場合（ステップＳ８０１：Ｎｏ）、携帯端末装置１００は、ステップＳ８０４へ移行する。第１閾値以上であると判断された場合（ステップＳ８０１：Ｙｅｓ）、携帯端末装置１００は、加速度センサの読み値に基づき第２閾値を決定する（ステップＳ８０２）。加速度センサの読み値とは、上述した角度θである。第２閾値は上述した閾値であり、決定方法は、図７で説明した通りである。
【００５６】
まず、携帯端末装置１００は、表面の照度センサ３０２の読み値が裏面の照度センサ３０３の読み値より第２閾値以上小さいか否かを判断する（ステップＳ８０３）。表面の照度センサ３０２の読み値が裏面の照度センサ３０３の読み値より第２閾値以上小さくないと判断された場合（ステップＳ８０３：Ｎｏ）、携帯端末装置１００は、ステップＳ８０６へ移行する。表面の照度センサ３０２の読み値が裏面の照度センサ３０３の読み値より第２閾値以上小さいと判断された場合（ステップＳ８０３：Ｙｅｓ）、携帯端末装置１００は、近接センサ３０４にて物体の近接を検出したか否かを判断する（ステップＳ８０４）。
【００５７】
近接を検出したと判断された場合（ステップＳ８０４：Ｙｅｓ）、携帯端末装置１００は、画面を消灯し、タッチパネルを無効にし（ステップＳ８０５）。ステップＳ８０７へ移行する。一方、近接を検出していないと判断された場合（ステップＳ８０４：Ｎｏ）、携帯端末装置１００は、画面を点灯し、タッチパネルを有効にする（ステップＳ８０６）。
【００５８】
つぎに、携帯端末装置１００は、通話が終了したか否かを判断する（ステップＳ８０７）。通話が終了していないと判断された場合（ステップＳ８０７：Ｎｏ）、携帯端末装置１００は、ステップＳ８０１へ戻る。通話が終了したと判断された場合（ステップＳ８０７：Ｙｅｓ）、携帯端末装置１００は、画面を点灯し、タッチパネルを有効にし（ステップＳ８０８）、一連の処理を終了する。
【００５９】
以上説明したように、通話状態時に画面近傍で物体の近接を検出した場合に画面を消灯などの低電力状態にする機能を持つ携帯端末装置１００は、照度センサにより検出された該近傍の照度が高い場合に該機能を無効にする。これにより、近接センサの近傍が暗くないと判断された場合には画面が低電力状態にならないため、利用者の意に反して画面を低電力状態にすることを回避することができる。
【００６０】
また、携帯端末装置１００は、筐体の表面に設けられた照度センサによって検出された照度と、筐体の裏面に設けられた照度センサによって検出された照度と、の比較によって該近傍の照度が高いか否かを判断する。これにより、携帯端末装置１００の周辺の環境に応じて近接センサの近傍が暗いか否かを判断することが可能となる。
【００６１】
また、携帯端末装置１００は、裏面に設けられた照度センサによって検出された照度が第２所定照度より低い場合に、近接センサによる検出結果に基づいて、表示部の状態を制御する。携帯端末装置１００が暗い場所にある場合、表面に設けられた照度センサによって検出された照度と裏面に設けられた照度センサによって検出された照度との比較を行うことができない。このように、裏面の近傍が暗い場合には、比較を行わない。これにより、暗い場所であっても物体の近接によって表示部の状態を制御できる。
【００６２】
また、携帯端末装置１００は、表面の照度センサによって検出された照度と、加速度センサによって検出された傾きに基づく照度との比較に基づいて、近接センサの近傍が明るいか否かを判断する。携帯端末装置１００の傾きによって光源からあたる光の量が異なるため、近接センサの近傍が明るいか否かを相対的に判断することが可能となる。
【００６３】
また、携帯端末装置１００は、タッチパネルディスプレイを有する場合に、表示部を点灯する状態にする場合に、タッチ入力の受け付けを行う状態にし、表示部を消灯する状態にする場合に、タッチ入力の受け付けを行わない状態にする。
【００６４】
また、携帯端末装置１００は、表示部の状態を制御する処理を自装置において通話処理の実行中に行う。これにより、通話中に近接センサに頭部が近づいたか近接センサに指などが近づいたかが判定可能である。
【００６５】
また、照度センサには、カメラを利用してもよい。このように、携帯端末装置に予め設けられると推定されるカメラを利用することによって、新たに照度センサを設ける場合よりも携帯端末装置を低廉にすることが可能となる。
【００６６】
また、以上説明したように、通話中に画面近傍で物体の近接を検出した時に画面へのタッチ入力を無効にする機能を持つ携帯端末装置１００は、照度センサにより検出された該近傍の照度が高い場合に該機能を無効にする。これにより、利用者の意に反して画面へのタッチ入力が無効になることを回避することができる。
【００６７】
なお、本実施の形態で説明した表示制御方法は、予め用意された表示制御プログラムをパーソナル・コンピュータやワークステーション等のコンピュータで実行することにより実現することができる。本表示制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、表示制御プログラムは、インターネット等のネットワークを介して配布してもよい。
【００６８】
上述した実施の形態に関し、さらに以下の付記を開示する。
【００６９】
（付記１）表示部と、
前記表示部の近傍に設けられ、物体の近接を検出可能な第１検出部と、
前記第１検出部の近傍の照度を検出可能な第２検出部と、
前記第１検出部および前記第２検出部による各検出結果に基づいて、前記照度が所定照度より高い場合、または前記近接が検出されていない場合に前記表示部を第１状態にし、前記照度が前記所定照度以下であり、かつ前記近接が検出された場合に前記表示部を前記第１状態より消費電力が低い第２状態にする制御部と、
を有することを特徴とする携帯端末装置。
【００７０】
（付記２）前記第２検出部と異なる位置に設けられ、前記位置の照度を検出可能な第３検出部を有し、
前記所定照度は、前記第３検出部によって検出された照度に基づく照度であることを特徴とする付記１に記載の携帯端末装置。
【００７１】
（付記３）前記制御部は、
前記第３検出部によって検出された照度が第２所定照度より低い場合に、前記第１検出部による検出結果に基づいて、前記近接が検出されていない場合に前記表示部を前記第１状態にし、前記近接が検出された場合に前記表示部を前記第２状態にすることを特徴とする付記２に記載の携帯端末装置。
【００７２】
（付記４）自装置の傾きを検出可能な第４検出部を有し、
前記所定照度は、前記第４検出部によって検出された前記傾きに基づく照度であることを特徴とする付記１〜３のいずれか一つに記載の携帯端末装置。
【００７３】
（付記５）前記表示部と、前記表示部への接触による入力を受け付ける受け付け部と、を有するタッチパネルディスプレイを有し、
前記制御部は、
前記表示部を前記第１状態にする場合に、前記受け付け部を前記入力の受け付けを行う状態にし、前記表示部を前記第２状態にする場合に、前記受け付け部を前記入力の受け付けを行わない状態にすることを特徴とする付記１〜４のいずれか一つに記載の携帯端末装置。
【００７４】
（付記６）前記制御部は、前記表示部を前記第１状態または前記第２状態にする処理を、自装置において通話処理を実行中に行うことを特徴とする付記１〜５のいずれか一つに記載の携帯端末装置。
【００７５】
（付記７）前記第２検出部と前記第３検出部との少なくともいずれかは、カメラであることを特徴とする付記２または３に記載の携帯端末装置。
【００７６】
（付記８）表示部と、前記表示部への接触による入力を受け付ける受け付け部と、を有するタッチパネルディスプレイと、
前記タッチパネルディスプレイの近傍に設けられ、物体の近接を検出可能な第１検出部と、
前記第１検出部の近傍の照度を検出可能な第２検出部と、
前記第１検出部および前記第２検出部による各検出結果に基づいて、前記照度が所定照度より高い場合、または前記近接が検出されていない場合に前記受け付け部を前記入力の受け付けを行う状態にし、前記照度が前記所定照度以下であり、かつ前記近接が検出された場合に前記受け付け部を前記入力の受け付けを行わない状態にする制御部と、
を有することを特徴とする携帯端末装置。
【００７７】
（付記９）表示部と、
前記表示部の近傍に設けられ、物体の近接を検出可能な第１検出部と、
前記第１検出部の近傍の照度を検出可能な第２検出部と、
制御部と、を有する携帯端末装置の表示制御プログラムであって、
前記制御部に、
前記第１検出部および前記第２検出部による各検出結果に基づいて、前記照度が所定照度より高い場合、または前記近接が検出されていない場合に前記表示部を第１状態にし、前記照度が前記所定照度以下であり、かつ前記近接が検出された場合に前記表示部を前記第１状態より消費電力が低い第２状態にする、
処理を実行させることを特徴とする表示制御プログラム。
【００７８】
（付記１０）表示部と、前記表示部への接触による入力を受け付ける受け付け部と、を有するタッチパネルディスプレイと、
前記タッチパネルディスプレイの近傍に設けられ、物体の近接を検出可能な第１検出部と、
前記第１検出部の近傍の照度を検出可能な第２検出部と、
制御部と、を有する携帯端末装置の表示制御プログラムであって、
前記制御部に、
前記第１検出部および前記第２検出部による各検出結果に基づいて、前記照度が所定照度より高い場合、または前記近接が検出されていない場合に前記受け付け部を前記入力の受け付けを行う状態にし、前記照度が前記所定照度以下であり、かつ前記近接が検出された場合に前記受け付け部を前記入力の受け付けを行わない状態にする、
処理を実行させることを特徴とする表示制御プログラム。
【００７９】
（付記１１）表示部と、
前記表示部の近傍に設けられ、物体の近接を検出可能な第１検出部と、
前記第１検出部の近傍の照度を検出可能な第２検出部と、
制御部と、を有する携帯端末装置の表示制御方法であって、
前記制御部が、
前記第１検出部および前記第２検出部による各検出結果に基づいて、前記照度が所定照度より高い場合、または前記近接が検出されていない場合に前記表示部を第１状態にし、前記照度が前記所定照度以下であり、かつ前記近接が検出された場合に前記表示部を前記第１状態より消費電力が低い第２状態にする、
処理を実行することを特徴とする表示制御方法。
【００８０】
（付記１２）表示部と、前記表示部への接触による入力を受け付ける受け付け部と、を有するタッチパネルディスプレイと、
前記タッチパネルディスプレイの近傍に設けられ、物体の近接を検出可能な第１検出部と、
前記第１検出部の近傍の照度を検出可能な第２検出部と、
制御部と、を有する携帯端末装置の表示制御方法であって、
前記制御部が、
前記第１検出部および前記第２検出部による各検出結果に基づいて、前記照度が所定照度より高い場合、または前記近接が検出されていない場合に前記受け付け部を前記入力の受け付けを行う状態にし、前記照度が前記所定照度以下であり、かつ前記近接が検出された場合に前記受け付け部を前記入力の受け付けを行わない状態にする、
処理を実行することを特徴とする表示制御方法。
【００８１】
（付記１３）表示部と、
前記表示部の近傍に設けられ、物体の近接を検出可能な第１検出部と、
前記第１検出部の近傍の照度を検出可能な第２検出部と、
制御部と、を有する携帯端末装置の表示制御プログラムを記録した記録媒体であって、
前記制御部に、
前記第１検出部および前記第２検出部による各検出結果に基づいて、前記照度が所定照度より高い場合、または前記近接が検出されていない場合に前記表示部を第１状態にし、前記照度が前記所定照度以下であり、かつ前記近接が検出された場合に前記表示部を前記第１状態より消費電力が低い第２状態にする、
処理を実行させる表示制御プログラムを記録したことを特徴とする記録媒体。
【００８２】
（付記１４）表示部と、前記表示部への接触による入力を受け付ける受け付け部と、を有するタッチパネルディスプレイと、
前記タッチパネルディスプレイの近傍に設けられ、物体の近接を検出可能な第１検出部と、
前記第１検出部の近傍の照度を検出可能な第２検出部と、
制御部と、を有する携帯端末装置の表示制御プログラムを記録した記録媒体であって、
前記制御部に、
前記第１検出部および前記第２検出部による各検出結果に基づいて、前記照度が所定照度より高い場合、または前記近接が検出されていない場合に前記受け付け部を前記入力の受け付けを行う状態にし、前記照度が前記所定照度以下であり、かつ前記近接が検出された場合に前記受け付け部を前記入力の受け付けを行わない状態にする、
処理を実行させる表示制御プログラムを記録したことを特徴とする記録媒体。
【符号の説明】
【００８３】
１００  携帯端末装置
１０１  表示部
１０２  第１検出部
１０３  第２検出部
１０４  制御部
３０２，３０３  照度センサ
３０４  近接センサ
３０５  タッチパネルディスプレイ
４０９  カメラ
４１０  加速度センサ
５０１  第３検出部
５０２  第４検出部
５０３  受け付け部
【図１】
2016036119.tif 000003
【図２】
2016036119.tif 000004
【図３】
2016036119.tif 000005
【図４】
2016036119.tif 000006
【図５】
2016036119.tif 000007
【図６】
2016036119.tif 000008
【図７】
2016036119.tif 000009
【図８】
2016036119.tif 000010